(57)【要約】【課題】発光量が一定である比較的簡易な構造のストロボを使用しても、ストロボ撮影時の露光量を精度よく制御でき、適正な露出（明るさ）の画像を得ることができる電子カメラを提供する。【解決手段】ＣＣＤを利用した電子カメラにおいて、ストロボ撮影を行う場合、ストロボ発光中に電子シャッターを制御して露光量を制御する。例えば、レリーズボタンの押下に応動して測距センサから被写体距離情報を取得し、適正露光量を得るためのシャッタースピードを算出する。ストロボを発光してから（ｔ１　）、所定のタイミング（ｔ２　）で電子シャッター（電荷掃き捨て）パルスの出力を停止し、露光を開始する。発光終了後に電荷読み出しパルスを与え（ｔ３　）、信号電荷を転送路に読み出し、順次信号を読み出す。【選択図】　図３
2004056257.tif 000002
【特許請求の範囲】
【請求項１】
電子シャッターの機能を有する撮像素子と、
ストロボ撮影時に適正な露光量が得られるように、前記電子シャッターのシャッタースピードを算出する演算手段と、
前記演算手段で求めたシャッタースピードに従ってストロボ発光中に前記電子シャッターの動作タイミングを制御する制御手段と、
を備えたことを特徴とする電子カメラ。
【請求項２】
撮影に使用されるストロボの発光曲線を示すデータが格納されているデータ格納手段と、
被写体距離を検出する測距手段と、
を具備し、
前記測距手段から取得した被写体距離情報と前記発光曲線のデータに基づいて前記シャッタースピードが算出されることを特徴とする請求項１記載の電子カメラ。
【請求項３】
撮影に使用されるストロボの発光曲線を示すデータが格納されているデータ格納手段を具備し、
記録用の露光を行う前に前記ストロボをプリ発光させ、このプリ発光時に前記撮像素子から得られた画像信号から被写体輝度情報を取得し、前記被写体輝度情報と前記発光曲線のデータに基づいて前記シャッタースピードを算出するように構成されていることを特徴とする請求項１記載の電子カメラ。
【発明の詳細な説明】
【０００１】
【発明の属する技術分野】
本発明は電子カメラに係り、特にストロボ撮影可能な電子スチルカメラに好適なストロボ撮影時の露光制御技術に関する。
【０００２】
【従来の技術】
カメラを用いてストロボ撮影を行う場合に露光量を制御する要素としては、絞り、シャッタースピード、ストロボ発光量が挙げられる。一般的には、ストロボ発光量を変えることができるオートストロボ（自動調光ストロボ）機能を有するカメラが多いが、この種のカメラは適正露光量に達した時にストロボの発光を停止させるために、被写体からの反射光を検出する手段として調光センサなどの特殊な回路が必要となり、また、発光を止める制御も必要である。
【０００３】
その一方、ストロボ発光量の制御に代えて、絞りによって露光量を制御しようとすると、ある程度細かい変化量の多段絞りが必要となり、カメラの高価格化の要因となってしまう。
【０００４】
特開平１０−３１２４２号公報に開示されたカメラは、発光量が一定の比較的簡易な構造のストロボを使用して絞り優先モードでのストロボ撮影を行うに際し、ストロボ発光中にシャッター開及びシャッター閉の動作タイミングを制御することにより露光量を制御して適正露光量での撮影を実現している。このような制御を実現するために、上記公報に開示のカメラは、ストロボの発光曲線のデータ、シャッター制御タイミングと露光量の関係を示すテーブルデータを保有している。
【０００５】
【発明が解決しようとする課題】
しかしながら、上記公報に開示された技術は、写真フイルムを用いるカメラに適用されるものであり、同技術を単純に電子スチルカメラに適用することはできない。すなわち、通常、ストロボ光の発光時間は１ｍｓ（ミリ秒）程度であるが、銀塩一眼レフカメラに使用されるメカシャッターは、最高速が１／８０００秒程度であり、精度が±０．５ＥＶぐらいとあまり良くないため、一瞬の閃光時間内にシャッターの開閉タイミングを制御するのは非常に困難である。
【０００６】
銀塩フイルムの場合はラチチュードが広いので上記のような制御精度でも問題はないが、ＣＣＤ等の撮像素子を使う電子スチルカメラの場合には、ダイナミックレンジが狭いため、アンダー露光やオーバ露光に耐え得る範囲が狭く、銀塩フイルムよりも更に高精度に露光時間を制御しなければ良好な画像を取得することができず、撮影画像が真っ暗になったり、真っ白になったりする可能性が高い。
【０００７】
本発明はこのような事情に鑑みてなされたもので、発光量が一定である比較的簡易な構造のストロボを使用しても、ストロボ撮影時の露光量を精度よく制御でき、適正な露出（明るさ）の画像を得ることができる電子カメラを提供することを目的とする。
【０００８】
【課題を解決するための手段】
前記目的を達成するために本発明に係る電子カメラは、電子シャッターの機能を有する撮像素子と、ストロボ撮影時に適正な露光量が得られるように、前記電子シャッターのシャッタースピードを算出する演算手段と、前記演算手段で求めたシャッタースピードに従ってストロボ発光中に前記電子シャッターの動作タイミングを制御する制御手段と、を備えたことを特徴とする。
【０００９】
本発明によれば、ストロボ（電子閃光装置）を使用して撮影を行う場合に、ストロボ発光時間内で必要な適正露光量が得られるように電子シャッターの動作が制御される。電子シャッターは、メカシャッター（機械的な構造によって開閉動作を行うシャッター）と比較して、極めて高速かつ高精度で露光時間を制御できるため、ストロボ発光時間内でも十分制御が可能である。
【００１０】
具体的には、演算手段で算出されたシャッタースピードの露光時間を実現するように、ストロボ発光時間内において露光開始時のタイミング及び露光終了時のタイミングのうち少なくとも一方のタイミングが制御される。
【００１１】
これにより、自動調光機構を有していないストロボ（すなわち、発光量が一定である比較的簡易な構造のストロボ）を使用しても露光量を精度よく制御することができ、適正な露出の画像を得ることができる。
【００１２】
本発明の一態様に係る電子カメラは、上記構成に加えて、撮影に使用されるストロボの発光曲線を示すデータが格納されているデータ格納手段と、被写体距離を検出する測距手段と、を具備し、前記測距手段から取得した被写体距離情報と前記発光曲線のデータに基づいて前記シャッタースピードが算出されることを特徴とする。
【００１３】
また、本発明の他の態様に係る電子カメラは、撮影に使用されるストロボの発光曲線を示すデータが格納されているデータ格納手段を具備し、記録用の露光を行う前に前記ストロボをプリ発光させ、このプリ発光時に前記撮像素子から得られた画像信号から被写体輝度情報を取得し、前記被写体輝度情報と前記発光曲線のデータに基づいて前記シャッタースピードを算出するように構成されていることを特徴とする。かかる構成によれば、カメラ構成上、測距手段を省略できる。
【００１４】
【発明の実施の形態】
以下添付図面に従って本発明に係る電子カメラの好ましい実施の形態について詳説する。
【００１５】
図１は、本発明の実施形態に係る電子カメラの構成を示すブロック図である。このカメラ１０は、被写体の光学像をデジタル画像データに変換してメモリカード１２に記録するデジタルスチルカメラであり、撮影光学系としての撮影レンズ１４、絞り１６及びＣＣＤ固体撮像素子（以下、ＣＣＤという。）１８を備えている。
【００１６】
撮影レンズ１４は単焦点レンズでもよいし、ズームレンズなどの焦点距離可変のレンズでもよい。絞り１６には開口径一定の固定絞りが用いられているが、開口径を変更できる可変絞りを用いてもよい。ＣＣＤ１８に代えて、ＭＯＳ型の撮像素子など他の方式の撮像素子を用いることも可能である。
【００１７】
カメラ１０は画像等の表示が可能なカラー液晶ディスプレイ（ＬＣＤ）２０を有しており、ＬＣＤ２０によって撮像中の映像をモニタ表示したり、記録画像を再生表示することができる。このＬＣＤ２０は、ユーザが各種の設定操作等を行う際のユーザインターフェース用表示画面としても利用され、必要に応じて設定項目などのメニュー情報が表示される。ＬＣＤ２０に代えて、有機ＥＬなど各種方式の表示装置（表示手段）を用いることも可能である。
【００１８】
また、このカメラ１０はストロボ回路２２と測距センサ２４を具備している。ストロボ回路２２は、発光部としての放電管（例えば、キセノン管）、トリガー回路、放電用エネルギーを蓄積するメインコンデンサ及びその充電回路などを含むブロックである。測距センサ２４は、被写体までの距離を検出する手段であり、例えば、三角測量法の原理を利用したアクディブ方式又はパッシブ方式など周知の測距手段を適用できる。
【００１９】
カメラ１０に内蔵されているＣＰＵ２６は、所定のプログラムに従って本カメラシステムを統括制御する制御手段として機能するとともに、自動露出（ＡＥ）演算、自動焦点調節（ＡＦ）演算など各種の演算を実施する演算手段として機能する。すなわち、ＣＰＵ２６は、操作部２８から入力する信号（操作信号）に基づいてカメラ１０内の各回路を制御し、例えば、レンズ駆動制御、ＣＣＤ駆動制御、画像処理制御、画像データの記録制御、ファイル管理、ストロボの発光制御、メモリカード１２の読み書き制御、ＬＣＤ２０の表示制御などを行う。
【００２０】
操作部２８は、カメラ１０に対してユーザが各種の指示を入力するための手段である。操作部２８には、撮影開始の指示を入力するレリーズボタン、主電源のＯＮ／ＯＦＦ操作を行うための電源スイッチ、動作モードを選択するためモード選択スイッチ、メニュー画面の表示を指示するメニューボタン、メニュー項目の選択操作（カーソル移動操作）や再生画像のコマ送り／コマ戻し等の指示を入力する十字ボタン、選択項目の確定（登録）や動作の実行を指示するＯＫボタン、選択項目など所望の対象の消去や指示内容の取消し、或いは１つ前の画面に戻るときに使用するＢＡＣＫボタンなど各種の操作手段が含まれる。
【００２１】
ＣＰＵ２６に接続されたＲＯＭ３０には、ＣＰＵ２６が実行するプログラム及び制御に必要な各種データ（例えば、ストロボのガイドナンバー、ストロボの発光曲線のデータなど）が格納されている。メモリ（ＲＡＭ）３１は、ＣＰＵ２６の作業用領域として利用される。なお、不揮発性記憶手段であるＲＯＭ３０は書き換え不能なものであってもよいし、ＥＥＰＲＯＭのように書き換え可能なものでもよい。
【００２２】
撮影者によって電源スイッチがＯＮ操作されると、ＣＰＵ２６はこれを検出し、図示せぬ電源回路に対して起動指令の信号を与え、電源回路を起動させる。電源回路はＤＣ／ＤＣコンバータを含み、カメラ１０に装填されている電池（不図示）から供給される電力は、ＤＣ／ＤＣコンバータによって所要の電圧に変換された後、電源回路よりカメラ１０内の各回路ブロックに供給される。
【００２３】
モード選択スイッチによって撮影モードが選択されると、ＣＣＤ１８を含む撮像部に電源が供給され、撮影可能な状態になる。
【００２４】
撮影レンズ１４及び絞り１６を通過した光は、ＣＣＤ１８の受光面に結像される。ＣＣＤ１８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。ＣＣＤ１８の受光面に結像された被写体像は、各フォトダイオードによって入射光量に応じた量の信号電荷に変換される。フォトダイオードに蓄積された信号電荷は、ＣＰＵ２６の指令に従いＣＣＤ駆動回路３４から与えられる電荷読み出しパルスに基づいて転送路に読み出され、転送パルスによって基づいて信号電荷に応じた電圧信号（画像信号）として順次読み出される。
【００２５】
ＣＣＤ１８は、不要電荷排出用の掃出ドレインを有しており、ＣＣＤ駆動回路３４からの電荷掃き捨てパルスによってフォトダイオードの蓄積電荷を掃出ドレインに掃き出すことができる。すなわち、ＣＣＤ１８は電荷掃き捨てパルスの出力タイミングによってフォトダイオードにおける電荷の蓄積時間（シャッタースピード）を制御する電子シャッター機能を有している。以下、「電荷掃き捨てパルス」のことを「電子シャッターパルス」という。
【００２６】
ＣＣＤ１８から出力された信号はアナログ処理部３６に送られ、アナログ処理部３６において相関二重サンプリング（ＣＤＳ）処理、色分離、ゲイン調整などの所要の処理が行われる。アナログ処理部３６で生成された画像信号は、Ａ／Ｄ変換器３８によりデジタル信号に変換された後、メモリ４０に格納される。メモリ４０は、バッファ兼画像メモリの役割を担う。
【００２７】
タイミングジェネレータ（ＴＧ）４２は、ＣＰＵ２６の指令に従ってＣＣＤ駆動回路３４、アナログ処理部３６及びＡ／Ｄ変換器３８に対してタイミング信号を与えており、このタイミング信号によって各回路の同期がとられている。ＣＣＤ駆動回路３４はタイミングジェネレータ４２から与えられる信号に基づいてＣＣＤ１８に対して駆動用パルス（ＣＣＤ駆動パルス）を出力する。
【００２８】
メモリ４０に記憶された画像データは、バス４６を介して信号処理部４８に送られる。信号処理部４８は、ホワイトバランス調整回路、ガンマ変換回路、同時化回路、輝度・色差信号生成回路、輪郭強調回路等を含む画像処理手段であり、ＣＰＵ２６からのコマンドに従ってメモリ４０を活用しながら画像信号を処理する。信号処理部４８に入力された画像データは、輝度信号（Ｙ信号）及び色差信号（Ｃｒ，Ｃｂ　信号）に変換されるとともに、ガンマ補正等の所定の処理が施された後、メモリ４０に書き戻される。
【００２９】
撮像中の映像をモニタ出力する場合、メモリ４０内の画像データは、ＶＲＡＭ５０に転送される。ＶＲＡＭ５０には必要に応じて図示せぬキャラクタジェネレータから文字・記号データが供給され、ＶＲＡＭ５０において画像、若しくは画像と文字情報とを合成したデータが格納される。
【００３０】
ＶＲＡＭ５０に記憶されたデータは、エンコーダ５２によって表示用の所定方式の信号（例えば、ＮＴＳＣ方式のカラー複合映像信号）に変換された後、Ｄ／Ａ変換器５４を介してＬＣＤ２０に出力される。
【００３１】
ＣＣＤ１８から出力される画像信号によって画像データが定期的に書き換えられ、その画像データから生成される映像信号がＬＣＤ２０に供給されることにより、撮像中の映像がリアルタイムに動画として表示される。撮影者はＬＣＤ２０に表示される動画映像（スルームービー）によって撮影画角を確認できる。
【００３２】
撮影者によって操作部２８のレリーズボタンが押下されるとレリーズ信号が発せられ、該レリーズ信号がＣＰＵ２６に入力される。ＣＰＵ２６は、レリーズ信号の入力に応動してＡＥ制御及びＡＦ制御を行い、その後、記録用の画像を取り込むためのＣＣＤ露光及び読み出し制御を開始する。
【００３３】
オート演算部５６は、ＡＥ制御に必要な演算を行う手段を含み、レリーズボタンの押下に応じて取り込まれた画像信号に基づいてＡＥ演算を行い、その演算結果をＣＰＵ２６に伝える。また、レリーズボタンの押下時に測距センサ２４が作動し、その検出信号がＣＰＵ２６に入力される。ＣＰＵ２６は測距センサ２４からの情報に基づいて被写体までの距離を算出するとともに、撮影レンズ１４の合焦駆動に必要なレンズ移動量を計算する。
【００３４】
なお、画像信号の高周波成分から評価値を算出し、評価値が最大（又は極大）となるように撮影レンズ１４を移動させるコントラストＡＦ方式を採用することも可能である。
【００３５】
ＣＰＵ２６は上記のＡＦ演算の結果に基づいてレンズ駆動部５８を制御し、撮影レンズ１４を合焦位置に移動させるとともに、ＣＣＤ１８の電子シャッター（電荷蓄積時間）を制御して撮影用の露出を行う。また、ＣＰＵ２６は必要に応じてストロボ回路２２にコマンドを送り、ストロボを発光させる。ストロボ発光を伴う撮影を行う場合、ＣＰＵ２６はＣＣＤ１８に対する電子シャッターパルスの出力と読み出しパルスの出力タイミングを制御して、ストロボ光による露光量を制御する。
【００３６】
こうして、レリーズボタンの押下に応動して取り込まれた画像データは、メモリ４０を介して信号処理部４８に送られ、信号処理部４８において輝度・色差信号変換（ＹＣ変換）処理その他の所定の信号処理を経た後、圧縮伸張部６０に送られる。
【００３７】
圧縮伸張部６０に入力された画像データは、所定の圧縮フォーマット（例えば、ＪＰＥＧ方式）　に従って圧縮される。圧縮されたデータは、カードインターフェース部６２を介してメモリカード１２に記録される。記録形式はＪＰＥＧ方式に限定されず、ＭＰＥＧその他の記録方式を採用してもよい。画像データを保存するための手段は、メモリカード１２で代表される半導体メモリに限定されず、磁気ディスク、光ディスク、光磁気ディスクなど、種々の媒体を用いることができる。また、リムーバブルメディアに限らず、カメラ１０に内蔵された記録媒体（内部メモリ）であってもよい。
【００３８】
操作部２８のモード選択スイッチによって再生モードが選択されると、メモリカード１２から画像ファイルが読み出され、圧縮伸張部６０によって伸張処理された後、エンコーダ５２及びＤ／Ａ変換器５４を介してＬＣＤ２０に出力される。こうして、記録済み画像の再生表示が行われる。画像の再生表示中に操作部２８の十字ボタン（例えば、右キー又は左キー）を操作することによって、再生対象のファイルを切り換えること（順コマ送り／逆コマ送り）ができる。
【００３９】
次に、上記の如く構成されたカメラ１０におけるストロボ撮影時の制御例を説明する。
【００４０】
図２に制御フローチャートを示す。レリーズボタンが押され、ＣＰＵ２６にレリーズ信号が入力されると（ステップＳ１１０）、ＣＰＵ２６は、測距センサ２４からの信号に基づいて被写体距離情報を取得する（ステップＳ１１２）。この被写体距離情報に基づいてＡＦ処理を実施する。また、ＣＰＵ２６は、被写体距離情報から適正な露光レベルで撮影を行うためのシャッタースピード（ＣＣＤ１８の電荷蓄積時間）を算出する（ステップＳ１１４）。ストロボの発光特性を示す発光曲線の情報と被写体距離情報に基づいて、電子シャッターの動作タイミングと露光時間が決定される。なお、シャッタースピードの算出には、演算式を利用してもよいし、ルックアップテーブルを利用してもよい。
【００４１】
シャッタースピードを算出後、ストロボを発光させ（ステップＳ１１６）、前記シャッタースピードに従って電子シャッターパルスの出力と電荷読み出しパルスの出力を制御し、露光を行う（ステップＳ１１８）。
【００４２】
図３にストロボの発光曲線とＣＣＤ駆動パルスの出力タイミングの関係を示す。図３中の曲線▲１▼はストロボの発光曲線を示し、（ａ）は電子シャッターパルスの出力タイミング、（ｂ）は電荷読み出しパルスの出力タイミングを示す。
【００４３】
図３に示した制御例においては、ストロボ発光中に露光を始めるタイミングを制御している。すなわち、ストロボの発光を開始する時点（ｔ１　）よりも前から電子シャッターパルスを一定の周期で出力し、ＣＣＤ１８の不要電荷を掃き捨てる。あるタイミング（ｔ１　）でストロボを発光し、その後、所定のタイミング（ｔ２　）で電子シャッターパルスの出力を停止して露光を開始する。ストロボの発光が終了してから所定のタイミング（ｔ３　）で電荷読み出しパルスを与えて信号電荷を転送路に読み出し、順次信号を読み出す。
【００４４】
ｔ２　からｔ３　までの期間が実質的な露光時間に相当する。ストロボの発光曲線に対するｔ３　のタイミングを固定したとすると、電子シャッターパルスの出力停止タイミング（すなわち、露光開始タイミング）ｔ２　を変更することによって、露光時間が調整される。
【００４５】
電子シャッターは、１／１００００　秒以下という超高速で、しかも高精度で露光時間を制御できるため、短いストロボ発光時間（約１ｍｓ）内でも十分制御が可能である。
【００４６】
図４にストロボ撮影時の他の制御例を示す。図４に示した制御例では、ストロボ発光中において露光終了タイミングを制御している。すなわち、図４の制御例においては、ストロボ発光を開始する前にＣＣＤへの電子シャッターパルス出力を停止し、露光を開始している。なお、図４ではストロボの発光開始タイミング（ｔ４　）と同時に電子シャッターパルス出力を停止させている様子が示されている。その後、ストロボ発光時間内の所定のタイミング（ｔ５　）で電荷読み出しパルスを与えて信号電荷を転送路に読み出し、順次信号を読み出す。
【００４７】
ｔ４　からｔ５　まで期間が実質的な露光時間に相当する。ストロボの発光曲線に対するｔ４　のタイミングを固定したとすると、電荷読み出しパルスの出力タイミング（すなわち、露光終了タイミング）ｔ５　を変更することによって、露光時間が調整される。このような電子シャッター制御によってもストロボ光による露光量の制御が可能である。
【００４８】
上述した実施形態では測距センサ２４を利用して被写体距離情報の取得（ＡＦ）を行ったが、本発明の実施に際しては測距センサ２４を用いない態様も可能である。
【００４９】
図５に本発明の他の実施形態による制御フローチャートを示す。同図によれば、レリーズボタンが押され、ＣＰＵ２６にレリーズ信号が入力されると（ステップＳ２１０）、ＣＰＵ２６は、ストロボ回路２２にコマンドを送り、ストロボをプリ発光（事前点灯）させる（ステップＳ２１２）。この時、電子シャッターはストロボ発光量（発光曲線）の一定量だけをカバーするような適当な時間に設定され、プリ発光期間中にＣＣＤ１８の露光が行われる。こうして、プリ発光時にＣＣＤ１８から画像信号を読み出し、ストロボ光が照射されたときの被写体輝度情報を取得する（ステップＳ２１４）。この被写体輝度情報に基づいてＡＥ演算を行い、適正レベルで撮影するためのシャッタースピードを算出する（ステップＳ２１６）。
【００５０】
その後、本撮影用にストロボを発光させ（ステップＳ２１８）、記録用の露光（本露光）を行う（ステップＳ２２０）。このときの露光動作は、図３又は図４で説明した制御例に従って実施される。図５に示した制御例によれば、カメラ構成上、図１に示した測距センサ２４を省略することが可能になる。
【００５１】
上述した実施形態では、ストロボを内蔵したカメラを例示したが、本発明の適用範囲はこれに限定されず、外付けのストロボ装置を使用するカメラについても本発明を適用することができる。この場合、使用される外付けストロボ装置の発光曲線の情報をカメラ側で取得し、その情報に基づいてシャッタースピードの演算やＣＣＤ駆動パルスの出力制御が行われる。
【００５２】
また、上述の実施形態ではデジタルスチルカメラを説明したが、本発明の適用範囲はこれに限定されず、静止画及び動画の記録／再生機能を有するデジタルカメラ、ビデオカメラ、ＤＶＤカメラ、更には、小型カメラを搭載した撮影機能付きの携帯電話ＰＤＡ（携帯情報端末）、パソコンなど、様々な電子撮像装置について本発明を応用できる。
【００５３】
【発明の効果】
以上説明したように本発明によれば、ダイナミックレンジの比較的狭い撮像素子を用いる電子カメラにおいて、ストロボを発光させて撮影を行う場合に、電子シャッターの動作を制御してストロボ光による露光量を制御するようにしたので、発光量が一定の比較的簡易な構造のストロボを使用しても露光量を精度よく制御することができ、適正な露出の画像を得ることができる。
【図面の簡単な説明】
【図１】本発明の実施形態に係る電子カメラの構成を示すブロック図
【図２】本例のカメラにおけるストロボ撮影時の制御手順を示すフローチャート
【図３】本例のカメラにおけるストロボの発光曲線とＣＣＤ駆動パルスの出力タイミングの関係を示した図
【図４】本例のカメラに適用される他の制御例によるストロボの発光曲線とＣＣＤ駆動パルスの出力タイミングの関係を示した図
【図５】本発明の他の実施形態によるストロボ撮影時の制御例を示すフローチャート
【符号の説明】
１０…カメラ、１６…絞り、１８…ＣＣＤ、２２…ストロボ回路、２４…測距センサ、２６…ＣＰＵ、３０…ＲＯＭ、３４…ＣＣＤ駆動回路、４２…タイミングジェネレータ
【図１】
2004056257.tif 000003
【図２】
2004056257.tif 000004
【図３】
2004056257.tif 000005
【図４】
2004056257.tif 000006
【図５】
2004056257.tif 000007